(57)【要約】      （修正有）【課題】メインコネクタの作業方向とＣＰＡデバイスの作業方向が同一であって相手コネクタに対する組立作業が単純化されＣＰＡデバイスに形成されたブリッジ部がロック状態を決定する弾性アームを包み込むことで不注意によるロック解除が防止されるコネクタ装置を提供する。【解決手段】コネクタ装置は相手コネクタのロック突起に弾性的に撓み変形可能なロックアームが係止されることで結合状態が維持されるメインコネクタ２００を包み込むように設けられメインコネクタが挿入される収容部及びメインコネクタの収容部への挿入時にロックアームに係止されてロックアームと共に撓み変形する弾性アーム３２０が相手コネクタとメインコネクタとの組立時にロックアームに係止されて移動が制限されるＣＰＡデバイス３００を有しＣＰＡデバイスから突出して弾性アームを包み込むように上方に延び内側には弾性アームを露出させる開口部を有するブリッジ部４００を含む。【選択図】図１
2020087906.tif 000002
【特許請求の範囲】
【請求項１】
ロック突起が設けられた相手コネクタ；
弾性的に撓み変形可能なロックアームが備えられ、相手コネクタが挿入されてロックアームがロック突起に係止されることにより相手コネクタとの結合状態が維持されるメインコネクタ；
メインコネクタを包み込むように設けられ、メインコネクタが挿入される収容部、およびメインコネクタの収容部への挿入時にロックアームに係止されてロックアームと共に撓み変形する弾性アームが備えられることにより、相手コネクタとメインコネクタとの組立時に弾性アームがロックアームに係止されて移動が制限されるＣＰＡデバイス；および
ＣＰＡデバイスから突出して弾性アームを包み込むように上方に延び、内側には弾性アームを露出させる開口部を有するブリッジ部；を含んでなる、コネクタ装置。
【請求項２】
メインコネクタの内部には端子連結のための端子締結部が設けられ、端子締結部の上端にロックアームが上下方向に変形可能に連結されたことを特徴とする、請求項１に記載のコネクタ装置。
【請求項３】
ロックアームは、
端子締結部から上方に突出し、弾性変形可能に設けられた弾性支持部と；
弾性支持部に結合し、前後方向に延設されて弾性支持部を中心にシーソー運動し、ＣＰＡデバイスの弾性アームが挿入される組立空間を有するロッカー本体と；を含むことを特徴とする、請求項２に記載のコネクタ装置。
【請求項４】
ロッカー本体は、
下端部を成し、弾性支持部に結合する結合部と、上端部を成し、組立空間の上側を閉鎖する板状部とを含んでなり、前端部には相手コネクタのロック突起に係止される係止受顎が設けられ、後端部が組立空間に開通するように形成されたことを特徴とする、請求項３に記載のコネクタ装置。
【請求項５】
弾性アームには、ロッカー本体の組立空間に挿入された状態で、係止受顎に接して支持される係止顎が設けられたことを特徴とする、請求項４に記載のコネクタ装置。
【請求項６】
ＣＰＡデバイスの上端部には、幅方向に延びてＣＰＡデバイスの両側端に上下方向に変形可能に連結され、弾性アームを有するＣＰＡ係止部が設けられたことを特徴とする、請求項１に記載のコネクタ装置。
【請求項７】
ＣＰＡ係止部は、ＣＰＡデバイスの上端部における後方に配置され、幅方向に延びた延長部と、延長部から前方に延びた弾性アームと、延長部の両端部から前方に延びた後、ＣＰＡデバイスの両側端に連結される連結部と、弾性アームの上側に離隔して連結部の間に連結されるカバー部とから構成されたことを特徴とする、請求項６に記載のコネクタ装置。
【請求項８】
メインコネクタには係止環が設けられ、
ＣＰＡデバイスには係止環に対応する離脱防止アームが設けられることにより、係止環が離脱防止アームに係止されてＣＰＡデバイスからメインコネクタが離脱しないことを特徴とする、請求項１に記載のコネクタ装置。
【請求項９】
ブリッジ部は、ＣＰＡデバイスの後端部に配置され、ＣＰＡデバイスの幅方向の両側端を連結してアーチ状に形成され、内側に開口部を有することを特徴とする、請求項１に記載のコネクタ装置。
【発明の詳細な説明】
【技術分野】
【０００１】
本発明は、コネクタ装置に係り、さらに詳細には、コネクタ間のロック状態が勝手にロック解除されないようにするコネクタ装置に関する。
【背景技術】
【０００２】
特定の産業用途において、電気コネクタは、互いに安定的に連結されなければならない。このような電気コネクタは、通常、互いに対してコネクタハウジングをロックするために、１次ラッチおよび１次ストライカーを備える。また、コネクタ位置保証（Ｃｏｎｎｅｃｔｏｒ  Ｐｏｓｉｔｉｏｎ  Ａｓｓｕｒａｎｃｅ、ＣＰＡ）装置が追加のロック保証部としてロック部材をロックするために提供される。
【０００３】
コネクタが対応の嵌合コネクタと嵌め合う前に、ＣＰＡは、１次ラッチおよびストライカーが互いに対して移動することができるようにする初期位置に配置される。すなわち、第１コネクタのコネクタハウジングが第２コネクタの対応コネクタハウジングに連結され且つ１次ラッチおよびストライカーが互いに結合するとき、ＣＰＡは、１次ラッチおよびストライカーが結合解除されることを防止するためにコネクタハウジング内で最終位置へ移動することができて、第１コネクタおよび第２コネクタのロック状態を保証することができる。
【０００４】
但し、従来は、ＣＰＡがコネクタハウジングの上端で別途締結されなければならず、締結のためのロック部が上端に露出している。これにより、第１コネクタのコネクタハウジングと第２コネクタの対応コネクタハウジングとを締結した後、ＣＰＡ挿入作業を行うことにより作業工程が増加し、ロック部が上端に露出しているため不注意により意図せずにロック状態が解除されるという問題がある。
【０００５】
前述の背景技術として説明された事項は、本発明の背景に対する理解増進のためのものに過ぎず、当該技術分野における通常の知識を有する者に既に知られている従来の技術に該当することを認めるものと受け入れられてはならない。
【先行技術文献】
【特許文献】
【０００６】
【特許文献１】韓国特許第１０−８１８６２９号（２００８年３月２６日）
【発明の概要】
【発明が解決しようとする課題】
【０００７】
本発明は、かかる問題点を解決するためになされたもので、その目的は、ＣＰＡのロック部を包み込むようにして、不注意によるロック部のロック解除が防止されるようにするコネクタ装置を提供することにある。
【課題を解決するための手段】
【０００８】
上記目的を達成するための本発明に係るコネクタ装置は、ロック突起が設けられた相手コネクタ；弾性的に撓み変形可能なロックアームが備えられ、相手コネクタが挿入されてロックアームがロック突起に係止されることにより相手コネクタとの結合状態が維持されるメインコネクタ；メインコネクタを包み込むように設けられ、メインコネクタが挿入される収容部、およびメインコネクタの収容部への挿入時にロックアームに係止されてロックアームと共に撓み変形する弾性アームが備えられることにより、相手コネクタとメインコネクタとの組立時に弾性アームがロックアームに係止されて移動が制限されるＣＰＡデバイス；およびＣＰＡデバイスから突出して弾性アームを包み込むように上方に延び、内側には弾性アームを露出させる開口部を有するブリッジ部；を含んでなる。
【０００９】
メインコネクタの内部には、端子連結のための端子締結部が設けられ、端子締結部の上端にロックアームが上下方向に変形可能に連結されたことを特徴とする。
【００１０】
ロックアームは、端子締結部から上方に突出し、弾性変形可能に設けられた弾性支持部と、弾性支持部に結合し、前後方向に延設されて弾性支持部を中心にシーソー運動し、ＣＰＡデバイスの弾性アームが挿入される組立空間を有するロッカー本体とを含むことを特徴とする。
【００１１】
ロッカー本体は、下端部を成し、弾性支持部に結合する結合部と、上端部を成し、組立空間の上側を閉鎖する板状部とを含んでなり、前端部には相手コネクタのロック突起に係止される係止受顎が設けられ、後端部が組立空間に開通するように形成されたことを特徴とする。
【００１２】
弾性アームには、ロッカー本体の組立空間に挿入された状態で、係止受顎に接して支持される係止顎が設けられたことを特徴とする。
【００１３】
ＣＰＡデバイスの上端部には、幅方向に延びてＣＰＡデバイスの両側端に上下方向に変形可能に連結され、弾性アームを有するＣＰＡ係止部が設けられたことを特徴とする。
【００１４】
ＣＰＡ係止部は、ＣＰＡデバイスの上端部における後方に配置され、幅方向に延びた延長部と、延長部から前方に延びた弾性アームと、延長部の両端部から前方に延びた後、ＣＰＡデバイスの両側端に連結される連結部と、弾性アームの上側に離隔して連結部の間に連結されるカバー部とから構成されたことを特徴とする。
【００１５】
メインコネクタには係止環が設けられ、ＣＰＡデバイスには係止環に対応する離脱防止アームが設けられることにより、係止環が離脱防止アームに係止されてＣＰＡデバイスからメインコネクタが離脱しないことを特徴とする。
【００１６】
ブリッジ部は、ＣＰＡデバイスの後端部に配置され、ＣＰＡデバイスの幅方向の両側端を連結してアーチ状に形成され、内側に開口部を有することを特徴とする。
【発明の効果】
【００１７】
上述したような構造を持つコネクタ装置は、メインコネクタの作業方向とＣＰＡデバイスの作業方向とが同一であって、相手コネクタに対する組立作業が単純化され、ＣＰＡデバイスに形成されたブリッジ部がロック状態を決定する弾性アームを包み込むことにより、不注意による意図せぬロック解除が防止される。
【図面の簡単な説明】
【００１８】
【図１】本発明の一実施形態に係るコネクタ装置を示す図である。
【図２】図１に示されたコネクタ装置を説明するための図である。
【図３】図１に示されたコネクタ装置を説明するための図である。
【図４】図１に示されたコネクタ装置を説明するための図である。
【図５】図１に示されたコネクタ装置を説明するための図である。
【図６】図１に示されたコネクタ装置を説明するための図である。
【発明を実施するための形態】
【００１９】
以下、添付図面を参照して本発明の好適な実施形態に係るコネクタ装置について説明する。
【００２０】
図１は本発明の一実施形態に係るコネクタ装置を示す図、図２乃至図６は図１に示されたコネクタ装置を説明するための図である。
【００２１】
本発明に係るコネクタ装置は、図１乃至図６に示すように、ロック突起１１０が設けられた相手コネクタ１００と；弾性的に撓み変形可能なロックアーム２１０が備えられ、相手コネクタ１００が挿入されてロックアーム２１０がロック突起１１０に係止されることにより相手コネクタ１００との結合状態が維持されるメインコネクタ２００と；メインコネクタ２００を包み込むように設けられ、メインコネクタ２００が挿入される収容部３１０、およびメインコネクタ２００の収容部３１０への挿入時にロックアーム２１０に係止されてロックアーム２１０と共に撓み変形する弾性アーム３２０が備えられることにより、相手コネクタ１００とメインコネクタ２００との組立時に弾性アーム３２０がロックアーム２１０に係止されて移動が制限されるＣＰＡデバイス３００と；ＣＰＡデバイス３００から突出して弾性アーム３２０を包み込むように上方に延び、内側には弾性アーム３２０を露出させる開口部４１０を有するブリッジ部４００と；を含んでなる。
【００２２】
このように、本発明は、相手コネクタ１００、メインコネクタ２００およびＣＰＡデバイス３００から構成され、相手コネクタ１００に向かってメインコネクタ２００とＣＰＡデバイス３００とを組み立てる際に、ロックアーム２１０がロック突起１１０に係止されてメインコネクタ２００と相手コネクタ１００とが互いにロックされ、弾性アーム３２０がロックアーム２１０に係止されてＣＰＡとメインコネクタ２００とが互いにロックされる。ここで、弾性アーム３２０を操作して変形させると、弾性アーム３２０と共にロックアーム２１０が回転してロック突起１１０から離脱することにより、ロック状態が解除される。
【００２３】
特に、本発明では、ＣＰＡデバイス３００から突出して弾性アーム３２０を包み込むブリッジ部４００が形成されることにより、ブリッジ部４００によって弾性アーム３２０の意図せぬ操作が回避される。このようなブリッジ部４００の内側には弾性アーム３２０を露出させる開口部４１０が設けられることにより、弾性アーム３２０を操作するためには、ブリッジ部４００の開口部４１０に作業者の指を入れた後に弾性アーム３２０を操作しなければならない。これにより、作業者が意図した行動によってのみ、ＣＰＡデバイス３００を用いたロック解除動作が行われる。
【００２４】
上述した相手コネクタ１００は、図３に示すように、合成樹脂製であってもよく、メインコネクタ２００に挿入されるフード部１３０が設けられる。フード部１３０の内部には端子部１４０が延び、フード部１３０の上端にロック突起１１０が突設される。
一方、メインコネクタ２００は、合成樹脂製であってもよく、内部には相手コネクタ１００の端子部１４０との端子連結のための端子締結部２２０が設けられ、弾性的に撓み変形可能なロックアーム２１０が備えられる。ここで、端子締結部２２０には、相手コネクタ１００の端子部１４０が挿入される端子部品２２３が備えられ、端子部品２２３には、電線２２３ａが電気的および機械的に接続される。
【００２５】
このようなメインコネクタ２００には係止環２３０が設けられ、ＣＰＡデバイス３００には係止環２３０に対応する離脱防止アーム３４０が設けられることにより、係止環２３０が離脱防止アーム３４０に係止されてＣＰＡデバイス３００からメインコネクタ２００が離脱しない。これにより、図２に示すように、相手コネクタ１００に対して、メインコネクタ２００とＣＰＡデバイス３００との組立前には、離脱防止アーム３４０に設けられた係止突起３４１が係止環２３０に触れて係止されるように配置されることで、メインコネクタ２００がＣＰＡデバイス３００から前方に移動して離脱しないようにする。
【００２６】
これに加えて、図６を参照すると、ＣＰＡデバイス３００の側面部３００ａには干渉突起３６０が設けられ、メインコネクタ２００には干渉突起３６０に対応する対応突起２５０が設けられることにより、ＣＰＡデバイス３００の組立位置への移動時に干渉突起３６０が対応突起２５０に乗り上がることにより、ＣＰＡデバイス３００の側面部３００ａが膨張変形するように構成できる。これにより、作業者は、ＣＰＡデバイス３００の組立時に指にＣＰＡデバイス３００の膨張を感じ、組み立てられることを認知することができる。
【００２７】
特に、メインコネクタ２００の内部に設けられた端子締結部２２０の上端には、ロックアーム２１０が上下方向に変形可能に連結される。ここで、メインコネクタ２００には、ロックアーム２１０が一部露出するようにする開放空間２４０が設けられることで、ロックアーム２１０の上下方向の変形に干渉されないようにする。
【００２８】
詳しくは、ロックアーム２１０は、端子締結部２２０から上方に突出し、弾性変形可能に設けられた弾性支持部２２１と；弾性支持部２２１に結合し、前後方向に延設されて弾性支持部２２１を中心にシーソー運動し、ＣＰＡデバイス３００の弾性アーム３２０が挿入される組立空間２２２ｄを有するロッカー本体２２２と；を含むことができる。
【００２９】
ここで、弾性支持部２２１は、安定的な弾性支持のために複数個から構成でき、ロッカー本体２２２は、弾性支持部２２１に結合した状態で弾性支持部２２１を中心にシーソー運動することにより上下方向に回転し、ロック状態またはロック解除状態が切り換えられるようにする。
【００３０】
詳しくは、ロッカー本体２２２は、下端部を成し、弾性支持部２２１に結合する結合部２２２ａと、上端部を成し、組立空間２２２ｄの上側を閉鎖する板状部２２２ｂとを含んでなり、前端部には相手コネクタ１００のロック突起１１０に係止される係止受顎２２２ｃが設けられ、後端部が組立空間２２２ｄに開通するように設けられ得る。
【００３１】
これにより、ロッカー本体２２２の下端部にＣＰＡデバイス３００の弾性アーム３２０が挿入され、弾性アーム３２０には、ロッカー本体２２２の組立空間２２２ｄに挿入された状態で、係止受顎２２２ｃに接して支持される係止顎３２１が設けられることにより、相手コネクタ１００とメインコネクタ２００とが完全に組み立てられる前に、係止顎３２１が係止受顎２２２ｃに係止されるように構成される。その後、相手コネクタ１００とメインコネクタ２００とが組み立てられると、弾性アーム３２０の係止顎３２１が係止受顎２２２ｃを乗り越えて反対側に係止されることにより、ロック状態となるようにする。
【００３２】
一方、図２および図５に示すように、ＣＰＡデバイス３００の上端部には、幅方向に延びてＣＰＡデバイス３００の両側端に上下方向に変形可能に連結され、弾性アーム３２０を有するＣＰＡ係止部３３０が設けられ得る。
【００３３】
ここで、ＣＰＡデバイス３００は、メインコネクタ２００を包み込む形で設けられ、内部にメインコネクタ２００が挿入される収容部３１０を備え、作業者がＣＰＡデバイス３００を握って組立工程を行うときの滑り止めのために、側面部３００ａには、階段状に高さバラツキを有する凹面部３５０が設けられ得る。このようなＣＰＡデバイス３００は、図２に示すように収容部３１０にメインコネクタ２００が一部挿入される待機位置と、図４に示すように収容部３１０にメインコネクタ２００が完全挿入される組立位置で、前後方向に移動可能に構成される。このために、ＣＰＡデバイス３００とメインコネクタ２００は、ガイド構造を介して互いに連結され、直線方向にスライドされるように構成できる。
【００３４】
特に、ＣＰＡデバイス３００のＣＰＡ係止部３３０は、ＣＰＡデバイス３００の上端部における後方に配置され、幅方向に延びた延長部３３１と、延長部３３１から前方に延びた弾性アーム３２０と、延長部３３１の両端部から前方に延びた後、ＣＰＡデバイス３００の両側端に連結される連結部３３２と、弾性アーム３２０の上側に離隔して連結部３３２の間に連結されるカバー部３３３とから構成できる。これにより、ＣＰＡデバイス３００は、延長部３３１に操作力が加わる場合、連結部３３２を支点として上下方向に回転してロック状態が切り替えられ得る。
【００３５】
ここで、弾性アーム３２０とカバー部３３３とは互いに平行に配置され、ＣＰＡ係止部３３０がロックアーム２１０の組立空間２２２ｄに挿入されるとき、図２に示すように、弾性アーム３２０とカバー部３３３との間に板状部２２２ｂが挿入されるようにすることができる。これにより、ロックアーム２１０と弾性アーム３２０とは相互に連動して共に回転動作することができる。
【００３６】
また、連結部３３２には、上方に突出したリブ３３２ａが設けられて剛性が補強されるようにし、リブ３３２ａの後方に下り勾配で傾いた形態を有することにより、延長部３３１の操作に干渉されないようにすることができる。このような連結部３３２は、図５に示すように、前方から後方へ勾配をもって延びた板膜状に形成され、延長部３３１に操作力が加わることに起因する撓み変形による回転動作が円滑に行われるようにすることができる。
【００３７】
一方、弾性アーム３２０には係止顎３２１が設けられることで、図２に示すように、待機位置では係止顎３２１がロックアーム２１０の係止受顎２２２ｃの後面に接して組立位置に移動を制限し、図４に示すように、組立位置では係止顎３２１が係止受顎２２２ｃの前面に接して待機位置に戻る方向の移動を制限する。
【００３８】
カバー部３３３は、延長部３３１と離隔して配置され、一対の連結部３３２が連結されるようにする。
【００３９】
一方、本発明のブリッジ部４００は、図１および図５に示すように、ＣＰＡデバイス３００の後端部に配置され、ＣＰＡデバイス３００の幅方向の両側端を連結してアーチ状に形成され、内側に開口部４１０を有することができる。
【００４０】
つまり、ブリッジ部４００は、ＣＰＡデバイス３００の後端部に一体に構成され、上述したＣＰＡ係止部３３０の延長部３３１、弾性アーム３２０の後部分を覆うように形成され、作業者の指が進入するように開口部４１０を有することができる。このように、ＣＰＡデバイス３００にブリッジ部４００が設けられてＣＰＡ係止部３３０の延長部３３１および弾性アーム３２０の意図せぬ操作を防止し、作業者がブリッジ部４００の開口部４１０に指を入れてこそ延長部３３１および弾性アーム３２０の操作が可能であることにより、誤操作によるロック解除が防止される。
【００４１】
以下、本発明に係る相手コネクタ１００、メインコネクタ２００およびＣＰＡデバイス３００の組立および離脱について説明する。
【００４２】
まず、メインコネクタ２００にＣＰＡデバイス３００を組み立てる。このような待機位置では、図２に示すように、離脱防止アーム３４０の係止突起３４１が係止環２３０に接触してメインコネクタ２００から後方へのＣＰＡデバイス３００の離脱が規制される。また、ＣＰＡデバイス３００の係止顎３２１がロックアーム２１０の係止受顎２２２ｃの後面に接触してメインコネクタ２００から前方へのＣＰＡデバイス３００の移動が規制される。
【００４３】
このような状態で、メインコネクタ２００に相手コネクタ１００を結合する。すなわち、図３に示すように、ロッカー本体２２２に設けられた係止受顎２２２ｃが相手コネクタ１００のロック突起１１０に乗り上がりながら移動する。このとき、ロッカー本体２２２は、弾性支持部２２１を中心に上下方向にシーソー運動する。これと同時に、ＣＰＡ係止部３３０も連結部３３２を中心にロッカー本体２２２と共に回転する。ここで、弾性支持部２２１の回転中心点と連結部３３２の回転中心点とは上下方向に同一の位置に配置されるようにして、弾性アーム３２０とＣＰＡ係止部３３０の回転時に互いに干渉しないようにすることができる。
【００４４】
このように、相手コネクタ１００とメインコネクタ２００とが組み立てられると、ロッカー本体２２２が原位置に復帰し、ロッカー本体２２２の係止受顎２２２ｃが相手コネクタ１００のロック突起１１０の前面に係止されるように配置される。一方、弾性アーム３２０の係止顎３２１は、ロック突起１１０に乗り上がって係止受顎２２２ｃとの係止が解除される。これにより、ＣＰＡデバイス３００は、待機位置から組立位置への移動が許容され、相手コネクタ１００の端子部１４０とメインコネクタ２００の端子部品２２３とが連結されて電気的に接続される。
【００４５】
このように、相手コネクタ１００とメインコネクタ２００とが組み立てられると、ＣＰＡデバイス３００に設けられたブリッジ部４００が弾性アーム３２０および延長部３３１を包み込むことにより、ＣＰＡ係止部３３０に意図せぬ操作力が加わってロック状態が解除されることが防止される。
【００４６】
一方、相手コネクタ１００とメインコネクタ２００の離脱の際に、ブリッジ部４００の開口部４１０に作業者が指を挿入してＣＰＡ係止部３３０を下方に加圧する。これにより、ＣＰＡ係止部３３０は、ロッカー本体２２２と共に回転して相手コネクタ１００のロック突起１１０との係止が解除される。これにより、相手コネクタ１００とメインコネクタ２００の離脱が許容されて相手コネクタ１００とメインコネクタ２００が離脱することができる。
【００４７】
上述したように、本発明は、ＣＰＡデバイス３００にブリッジ部４００が設けられ、ブリッジ部が、弾性アーム３２０を含むＣＰＡ係止部３３０の上部を覆うことにより、意図せぬＣＰＡ係止部３３０の操作が防止されて相手コネクタ１００とメインコネクタ２００との連結状態が維持できる。また、ブリッジ部４００がＣＰＡデバイス３００に一体に連結されて強度が確保される。
【００４８】
本発明は、特定の実施形態について図示および説明したが、以下の特許請求の範囲によって提供される本発明の技術的思想から外れない範疇内で、本発明に多様な改良および変更を加え得るのは、当該分野における通常の知識を有する者にとっては自明であろう。
【符号の説明】
【００４９】
１００    相手コネクタ
１１０    ロック突起
２００    メインコネクタ
２１０    ロックアーム
２２０    端子締結部
２２１    弾性支持部
２２２    ロッカー本体
２２２ａ    結合部
２２２ｂ    板状部
２２２ｃ    係止受顎
２２２ｄ    組立空間
２３０    係止環
３００    ＣＰＡデバイス
３１０    収容部
３２０    弾性アーム
３２１    係止顎
３３０    ＣＰＡ係止部
３３１    延長部
３３２    連結部
３３３    カバー部
３４０    離脱防止アーム
４００    ブリッジ部
４１０    開口部
【図１】
2020087906.tif 000003
【図２】
2020087906.tif 000004
【図３】
2020087906.tif 000005
【図４】
2020087906.tif 000006
【図５】
2020087906.tif 000007
【図６】
2020087906.tif 000008